(57)【要約】【課題】病院等において医療機器の管理情報を自動的に取得できる操作性に優れた医療機器管理装置および医療機器管理方法を提供すること。【解決手段】医療機器管理装置は、機器管理サーバ２５と、機器管理サーバに接続された無線親機と、無線親機とデータ通信を行う無線子機と、無線子機と接続され、医療機器に装着されたＲＦＩＣタグと通信を行うＲＦＩＣタグリーダと、機器管理サーバに接続され、ＲＦＩＣタグの識別情報を、無線子機あるいは無線親機の識別情報および日時情報と共に保存するデータベースシステムとを備える。無線子機やタグリーダを医療機器に内蔵あるいは外付け接続してもよい。小型の可搬型医療機器についても稼働情報の収集が可能となり、正確な保守や管理、現在位置の把握等が可能となる。【選択図】図１
2007310759.tif 000002
【特許請求の範囲】
【請求項１】
機器管理サーバ手段と、
前記機器管理サーバ手段に接続された無線親機手段と、
前記無線親機手段とデータ通信を行う無線子機手段と、
前記無線子機と接続され、医療機器に装着されたＲＦＩＣタグと通信を行うＲＦＩＣタグ読み取り手段と、
前記機器管理サーバ手段に接続され、前記ＲＦＩＣタグ読み取り手段によって読み取られ、前記無線子機手段、無線親機手段によって転送されたＲＦＩＣタグの識別情報を、この情報を転送した前記無線子機あるいは無線親機の識別情報および日時情報と共に保存するデータベースシステムと
を備えたことを特徴とする医療機器管理装置。
【請求項２】
機器管理サーバ手段と、
前記機器管理サーバ手段に接続され、医療機器に装着されたＲＦＩＣタグと通信を行うＲＦＩＣタグ読み取り手段と、
前記機器管理サーバに接続され、前記ＲＦＩＣタグ読み取り手段によって読み取られたＲＦＩＣタグの識別情報を、前記ＲＦＩＣタグ読み取り手段の識別情報および日時情報と共に保存するデータベースシステムと
を備えたことを特徴とする医療機器管理装置。
【請求項３】
機器管理サーバ手段と、
前記機器管理サーバ手段に接続された無線親機手段と、
医療機器に内蔵あるいは外付け接続され、前記無線親機手段とデータ通信を行い、前記医療機器の識別情報および稼働情報を送信する無線子機手段と、
前記機器管理サーバ手段に接続され、前記医療機器の稼働情報を、この情報を送信した前記無線子機の識別情報および日時情報と共に保存するデータベースシステムと
を備えたことを特徴とする医療機器管理装置。
【請求項４】
前記医療機器管理装置は更に、前記無線子機と接続されたＲＦＩＣタグ読み取り手段を備え、
前記データベースシステムは、前記医療機器の識別情報と対応して、前記ＲＦＩＣタグ読み取り手段によって読み取られ、前記無線子機手段、無線親機手段によって転送されたＲＦＩＣタグの識別情報を保存する
ことを特徴とする請求項３に記載の医療機器管理装置。
【請求項５】
前記ＲＦＩＣタグ手段あるいは前記医療機器に内蔵された無線子機手段は外部から書き替え可能な情報記憶手段を備えていることを特徴とする請求項１乃至４のいずれかに記載の医療機器管理装置。
【請求項６】
前記機器管理サーバ手段は医療情報を管理する病院情報システムに接続されており、更に、
前記病院情報システムから医療情報を取得する医療情報取得手段と、
ＲＦＩＣタグの読み取り情報から取得した患者あるいは機器使用者の識別情報と医療情報取得手段によって取得された医療情報との対応付けを行うマッチング手段と
を備えていることを特徴とする請求項１乃至４のいずれかに記載の医療機器管理装置。
【請求項７】
前記機器管理サーバ手段は更に、
記録された医療機器の使用履歴情報に基づいて使用回数あるいは使用時間を積算し、積算結果に基づいて保守が必要な医療機器を抽出して出力する保守管理手段を備えていることを特徴とする請求項１乃至４のいずれかに記載の医療機器管理装置。
【請求項８】
医療機器の識別情報および患者あるいは医療機器の使用者の識別情報を読み取り、日時情報と共にデータベースに記録するステップ、
病院情報システムから医療情報を取得するステップ、
前記患者あるいは医療機器の使用者の識別情報と医療情報取得手段によって取得された医療情報との対応付けを行うステップ、
記録された医療機器の使用履歴情報に基づいて使用回数あるいは使用時間を積算し、積算結果に基づいて保守が必要な医療機器を抽出して出力するステップ
を含むことを特徴とする医療機器管理方法。
【発明の詳細な説明】
【技術分野】
【０００１】
本発明は医療機器管理装置および医療機器管理方法に関するものであり、特に病院等において医療機器の管理情報を自動的に取得できる操作性に優れた医療機器管理装置および医療機器管理方法に関するものである。
【背景技術】
【０００２】
従来、病院においてＭＲＩやＣＴなどの大型の医療機器については、公知のＲＩＳ（放射線課情報システム）において医療機器の稼働情報が管理されていた。下記の特許文献１には、集合型医療テナントにおいて共同利用される検査機器の診療所毎の利用状況に応じて、診療所毎にその利用料を計算できるようにする情報システムが開示されている。
【０００３】
このシステムにおいては、検査オーダ情報に、診療部門毎に予め決められた診療部門識別情報が付されてオーダリング端末から送信され、実際に行われた検査に関する検査情報にもその診療部門識別情報が付されてＲＩＳから送信され、医事会計システムでは、診療部門識別情報を含む検査情報に基づき、診療部門毎に検査機器の利用料を計算する。
【特許文献１】特開２００３−１７８１３７号公報
【発明の開示】
【発明が解決しようとする課題】
【０００４】
病院においては、ＲＩＳで管理される大型の医療機器の他に、例えば可搬型の輸液ポンプ装置、手術台、麻酔器、電気メス装置、レーザメス装置、電動手術装置など小型の医療機器も使用されている。しかし、従来のＲＩＳにおいてはこれらの医療機器の稼働情報は管理されていなかった。従って、これらの医療機器の正確な使用回数や使用時間は不明であり、使用回数や使用時間に基づく保守管理や機器毎の損益計算ができないという問題点があった。
【０００５】
ＲＩＳ端末に付属するキーボードやバーコードリーダで医療機器の使用情報を入力することも考えられるが、機器の使用現場とＲＩＳ端末が離れた場所にあったり、情報の入力操作が面倒であったりして、使用情報の入力漏れが多発する恐れがあった。
【０００６】
本発明の目的は、前記したような従来技術の問題点を解決し、病院等において医療機器の管理情報を自動的に取得できる操作性に優れた医療機器管理装置および医療機器管理方法を提供することにある。
【課題を解決するための手段】
【０００７】
本発明の医療機器管理装置は、機器管理サーバ手段と、前記機器管理サーバ手段に接続された無線親機手段と、前記無線親機手段とデータ通信を行う無線子機手段と、前記無線子機と接続され、医療機器に装着されたＲＦＩＣタグと通信を行うＲＦＩＣタグ読み取り手段と、前記機器管理サーバ手段に接続され、前記ＲＦＩＣタグ読み取り手段によって読み取られ、前記無線子機手段、無線親機手段によって転送されたＲＦＩＣタグの識別情報を、この情報を転送した前記無線子機あるいは無線親機の識別情報および日時情報と共に保存するデータベースシステムとを備えたことを主要な特徴とする。
【０００８】
あるいは、本発明の医療機器管理装置は、機器管理サーバ手段と、前記機器管理サーバ手段に接続され、医療機器に装着されたＲＦＩＣタグと通信を行うＲＦＩＣタグ読み取り手段と、前記機器管理サーバに接続され、前記ＲＦＩＣタグ読み取り手段によって読み取られたＲＦＩＣタグの識別情報を、前記ＲＦＩＣタグ読み取り手段の識別情報および日時情報と共に保存するデータベースシステムと、を備えたことを主要な特徴とする。
【０００９】
あるいは、本発明の医療機器管理装置は、機器管理サーバ手段と、前記機器管理サーバ手段に接続された無線親機手段と、医療機器に内蔵あるいは外付け接続され、前記無線親機手段とデータ通信を行い、前記医療機器の識別情報および稼働情報を送信する無線子機手段と、前記機器管理サーバ手段に接続され、前記医療機器の稼働情報を、この情報を送信した前記無線子機の識別情報および日時情報と共に保存するデータベースシステムとを備えたことを主要な特徴とする。
【００１０】
また、前記した医療機器管理装置において、前記医療機器管理装置は更に、前記無線子機と接続されたＲＦＩＣタグ読み取り手段を備え、前記データベースシステムは、前記医療機器の識別情報と対応して、前記ＲＦＩＣタグ読み取り手段によって読み取られ、前記無線子機手段、無線親機手段によって転送されたＲＦＩＣタグの識別情報を保存する点にも特徴がある。
【００１１】
また、前記した医療機器管理装置において、前記ＲＦＩＣタグ手段あるいは前記医療機器に内蔵された無線子機手段は外部から書き替え可能な情報記憶手段を備えている点にも特徴がある。
【００１２】
また、前記した医療機器管理装置において、前記機器管理サーバ手段は医療情報を管理する病院情報システムに接続されており、更に、前記病院情報システムから医療情報を取得する医療情報取得手段と、ＲＦＩＣタグの読み取り情報から取得した患者あるいは機器使用者の識別情報と医療情報取得手段によって取得された医療情報との対応付けを行うマッチング手段とを備えている点にも特徴がある。
【００１３】
また、前記した医療機器管理装置において、前記機器管理サーバ手段は更に、記録された医療機器の使用履歴情報に基づいて使用回数あるいは使用時間を積算し、積算結果に基づいて保守が必要な医療機器を抽出して出力する保守管理手段を備えている点にも特徴がある。
【００１４】
本発明の医療機器管理方法は、医療機器の識別情報および患者あるいは医療機器の使用者の識別情報を読み取り、日時情報と共にデータベースに記録するステップ、病院情報システムから医療情報を取得するステップ、前記患者あるいは医療機器の使用者の識別情報と医療情報取得手段によって取得された医療情報との対応付けを行うステップ、記録された医療機器の使用履歴情報に基づいて使用回数あるいは使用時間を積算し、積算結果に基づいて保守が必要な医療機器を抽出して出力するステップを含むことを主要な特徴とする。
【発明の効果】
【００１５】
本発明の医療機器管理装置および医療機器管理方法においては以下のような効果がある。
（１）小型の可搬型医療機器についても稼働情報の収集が可能となり、正確な保守や管理、現在位置の把握等が可能となる。
（２）使用者等によるデータ入力操作が不要かあるいは簡単になるので、データ入力の操作性が向上し、データの入力漏れが減少する。従って、医療機器の使用による診療報酬の取りこぼしを無くすことができる。
【００１６】
（３）機器毎や使用者毎、患者毎の稼働率、保守、貸し出し、修理履歴、不具合情報を管理できるので、統計処理することによりフィードバックが可能となる。
（４）保守や修理の情報をＩＣタグに記録することにより、システムにアクセスしなくてもこれらの情報を参照できる。
【発明を実施するための最良の形態】
【００１７】
以下に、図面を参照して本発明の実施の形態を詳細に説明する。
【実施例１】
【００１８】
以下、本発明の第１実施例について説明する。図１は、本発明の医療機器管理装置を含む病院内システムのハードウェア構成を示すブロック図である。ＨＩＳサーバ１０、データベース(電子カルテ)１１、複数のＨＩＳ端末１２はＬＡＮ(A)２１によって接続され、公知のＨＩＳ（病院情報システム）を構成している。会計、事務処理システム２０もＬＡＮを介して接続されている。
【００１９】
ＨＩＳの一部である公知のＲＩＳ（放射線課情報システム）はＲＩＳサーバ１３、ＭＲＩ１４、ＣＴ１５などの複数のモダリティ、撮影された画像を管理する画像サーバ１６、オーダや運用、保守の管理を行うためのＲＩＳ端末１７、ＬＡＮ(B)１８等からなる。
【００２０】
本発明の医療機器管理装置は、ＨＩＳのＬＡＮ(A)２１に接続された機器管理サーバ２５、医療機器の管理情報を格納する機器管理データベース２６、ＬＡＮ(C)２７を介して接続される複数の無線親機３５、機器管理端末３９等により構成されている。
【００２１】
診察室、検査室、手術室３０や病室３１には、例えば室毎あるいは室内の区画毎に天井等に無線親機３５が設置されている。無線親機３５はＬＡＮ(C)２７を介して機器管理サーバ２５に接続されている。
【００２２】
無線通信の方法としては、公知の無線ＬＡＮあるいはブルートゥースなどの規格に準拠した無線通信装置を使用可能である。なお、無線親機３５は転送する情報に親機３５の識別情報（以下ＩＤと記す）を付加して機器管理サーバ２５に転送する。
【００２３】
医療機器３８、患者４３、医師（技師、看護士）４４にはそれぞれＲＦＩＣタグ３７が装着あるいは所持されている。ＲＦＩＣタグ３７としては、例えば公知の読み取り専用あるいは書き込み可能なＲＦＩＤタグ、公知の非接触読み取り／書き込み式のＩＣカード等を利用可能である。
【００２４】
ＲＦＩＣタグのリーダ３６は例えば無線ＬＡＮ規格等の無線通信機能を備えた携帯型のリーダ／ライタである。リーダ３６は室に備え付けられていてもよいし、医師（技師、看護士）４４が所持していてもよい。医師（技師、看護士）４４が所持している場合には、予めリーダ３６に医師（技師、看護士）４４のＩＤを登録しておくことにより、使用者のタグの読み取りを省略することもできる。
【００２５】
リーダ３６は例えば医師（技師、看護士）４４である使用者の読み取り操作に基づき、読み取ったＲＦＩＣタグ３７のＩＤとリーダ３６のＩＤをセットで無線親機３５を介して機器管理サーバ２５に送信する。
【００２６】
医療機器の管理室３２においては、無線親機３５を備えていてもよいし、技師４５（や看護士）が使用する機器管理端末３９にＲＦＩＣタグ３７のリーダ４０を接続して使用してもよい。
【００２７】
図２は、本発明の医療機器管理装置のデータベースの内容を示す説明図である。医療材料商品マスターＴ−１は、独自商品コードであるＤＡＮをキーとして、ＪＡＮ、商品名、規格、カタログ番号、製造元番号、分類番号、大分類番号、中分類番号、小分類番号、仕入価、梱包単位番号、梱包番号の項目の情報を記憶している。
【００２８】
梱包マスターＴ−２は、ＤＡＮ、梱包単位番号、梱包番号をキーとして、梱包名、数量、削除フラグの項目の情報を記憶している。備品商品マスターＴ−３は、商品番号をキーとして、商品名、規格、カタログ番号、定価、サイズ、消費電力、製造元番号、大分類番号、中分類番号、小分類番号の項目の情報を記憶している。
【００２９】
不具合マスターＴ−４は、不具合番号をキーとして、不具合内容の項目の情報を記憶している。部署マスターＴ−５は、部署番号をキーとして、部署名の項目の情報を記憶している。処理区分マスターＴ−６は、処理区分番号をキーとして、処理区分名の項目の情報を記憶している。
【００３０】
備品関連消耗品マスターＴ−７は、商品番号をキーとして、ＤＡＮ、梱包単位番号、梱包番号、数量の項目の情報を記憶している。製造元マスターＴ−８は、製造元番号をキーとして、製造元名、住所、電話番号、ＦＡＸ番号、保守連絡先、保守担当者名の項目の情報を記憶している。
【００３１】
大分類マスターＴ−９は、大分類番号をキーとして、大分類名、保険点数の項目の情報を記憶している。中分類マスターＴ−１０は、中分類番号をキーとして、中分類名、保険点数の項目の情報を記憶している。小分類マスターＴ−１１は、小分類番号をキーとして、小分類名、保険点数の項目の情報を記憶している。
【００３２】
備品台帳Ｔ−１２は、備品番号をキーとして、商品番号、製造番号、購入部署番号、購入金額、購入日、設置部署番号、保守契約開始日、保守契約終了日、保守内容詳細、保守アラームしきり値、保守後利用回数、使用可否（保守要否）、不具合番号の項目の情報を記憶している。
【００３３】
備品履歴Ｔ−１３は、備品番号、商品番号、商品名、規格、カタログ番号、製造番号、製造元名、大分類名、中分類名、小分類名、処理区分名、処理日時、使用時間、不具合内容、使用患者ＩＤ、使用技師ＩＤ、使用部署名、移動先部署番号、移動元部署番号、備考の項目の情報を記憶している。医療機器の使用履歴は備品台帳Ｔ−１２、備品履歴Ｔ−１３に記録される。
【００３４】
図３は、本発明の機器管理サーバにおける処理内容を示すフローチャートである。Ｓ１０においては、機器管理端末２５あるいはその他の端末１２、１７からの機器管理ＤＢ検索要求か否かが判定され、判定結果が否定の場合にはＳ１４に移行するが、肯定の場合にはＳ１１に移行する。
【００３５】
Ｓ１１においては、検索条件を入力するか検索種別によって予め定められている既定値を読み出す。Ｓ１２においては、機器管理ＤＢを検索する。Ｓ１３においては、例えば部署別使用頻度表、使用者別使用頻度表、機器の設置場所表、感染,不具合,修理表などのような検索結果を表示あるいは印刷出力する。
【００３６】
Ｓ１４においては、機器管理端末３９からの機器管理データの入力か否かが判定され、判定結果が否定の場合にはＳ１６に移行するが、肯定の場合にはＳ１５に移行する。Ｓ１５においては、医療機器ＩＤ、使用者ＩＤ、患者ＩＤ、日時、使用部署、不具合情報、保守情報等をセットで機器管理ＤＢに記録する。
【００３７】
Ｓ１６においては、無線親機３５からの無線データ入力か否かが判定され、判定結果が否定の場合にはＳ１０に移行するが、肯定の場合にはＳ１７に移行する。Ｓ１７においては、医療機器ＩＤ、使用者ＩＤ、患者ＩＤ、日時、無線親機ＩＤ、リーダＩＤ等をセットで機器管理ＤＢに記録する。
【００３８】
Ｓ１８においては、該当する医療機器の使用回数データを更新する。Ｓ１９においては、ＨＩＳシステムから関連するオーダ情報、患者に関する診療情報等を取得して、機器使用情報とマッチングを取り、記録する。
【００３９】
Ｓ２０においては、医療機器の使用回数が保守が必要な回数を越えたか否かが判定され、判定結果が否定の場合にはＳ１０に移行するが、肯定の場合にはＳ２１に移行する。Ｓ２１においては、機器管理ＤＢ内の使用禁止フラグをオンにする。Ｓ２２においては、要保守機器の番号、設置部署等の情報を含むアラームを機器管理端末３９に表示および印刷出力する。
【実施例２】
【００４０】
図４は、本発明の第２実施例の医療機器管理装置を含む病院内システムのハードウェア構成を示すブロック図である。第２実施例は、第１実施例の携帯型のリーダ／ライタ３６の代わりに天井や壁、出入り口等に設置した固定のＲＦＩＣタグリーダ４１を使用する例である。ＲＦＩＣタグリーダ４１はＬＡＮ(C)２７を介して機器管理サーバ２５に接続されている。
【００４１】
ＲＦＩＣタグリーダ４１は周期的に室内あるいは所定の距離内にあるＲＦＩＣタグを読み取り、読み取った情報を機器管理サーバ２５に送信する。診察室、検査室３０や病室３１においては、検出されたＩＤの組み合わせが時間と共に記録される。
【００４２】
但し、実施例２の構成では医療機器と使用者や患者との関連付け、使用回数あるいは使用時間等のデータは取得できない。そこで、機器管理サーバ２５においては、検出された医療機器ＩＤ、使用者ＩＤ、患者ＩＤに基づき、ＨＩＳから取得したオーダ情報、診療、治療情報を参照して医療機器と対応する使用者、患者を決定し、かつ医療機器の使用回数を推定して記録する。なお、管理室３２の構成は図１と同一であってもよい。
【実施例３】
【００４３】
図５は、本発明の第３実施例の医療機器管理装置を含む病院内システムのハードウェア構成を示すブロック図である。第３実施例は、第１実施例の携帯型のリーダ／ライタ３６の代わりに医療機器５０、３８自体に内蔵あるいは外付けされた例えば無線ＬＡＮ子機５１、５３を使用する例である。そして、無線子機５１、５３に外付けあるいは一体構成のＲＦＩＣタグリーダ５２、５４を接続する。
【００４４】
診察室、検査室３０や病室３１において、無線子機５１、５３は医療機器５０、３８と接続されているので、医療機器５０、３８のＩＤを読み取る必要はなく、医療機器５０、３８の稼働状態（稼働時間）情報も取得できる。電源も医療機器から無線子機５１、５３に供給可能である。なお、管理室３２の構成は図１と同一であってもよいし、無線親機３５を併設してもよい。
【００４５】
医療機器３８と無線子機５３とは例えばＲＳ−２３２ＣやＵＳＢ等の公知のインターフェイスによって接続可能である。リーダ５２、５４によって読み取られたＲＦＩＣタグ３７の識別情報は医療機器５０、３８のＩＤ、稼働情報とセットで無線親機３５を介して機器管理サーバ２５に送信される。
【００４６】
以上実施例を説明したが、本発明には以下のような変形例も考えられる。実施例においては、小型の医療機器に本発明を適用する例を開示したが、本発明は、医療現場において使用する任意の機器や備品、消耗品に適用可能である。
実施例においては、ＨＩＳやＲＩＳと分離した医療機器管理装置を開示したが、本発明の機能を実現するプログラムをＨＩＳやＲＩＳのサーバにおいて実行することにより、本発明を実施することも可能である。
【図面の簡単な説明】
【００４７】
【図１】本発明の医療機器管理装置を含む病院内システムのハードウェア構成を示すブロック図である。
【図２】本発明の医療機器管理装置のデータベースの内容を示す説明図である。
【図３】本発明の機器管理サーバにおける処理内容を示すフローチャートである。
【図４】本発明の第２実施例の医療機器管理装置を含む病院内システムのハードウェア構成を示すブロック図である。
【図５】本発明の第３実施例の医療機器管理装置を含む病院内システムのハードウェア構成を示すブロック図である。
【符号の説明】
【００４８】
１０…ＨＩＳサーバ
１１…データベース(電子カルテ)
１２…ＨＩＳ端末
１３…ＲＩＳサーバ
１４…ＭＲＩ
１５…ＣＴ
１６…画像サーバ
１７…ＲＩＳ端末
１８、２１、２７…ＬＡＮ
２０…事務処理システム
２５…機器管理サーバ
２６…機器管理データベース
３０…診察室、検査室
３１…病室
３２…管理室
３５…無線親機
３６、４０…ＩＣタグリーダ
３７…ＲＦＩＣタグ
３８…医療機器
３９…機器管理端末
４３…患者
４４…医師（技師、看護士）
４５…技師
【図１】
2007310759.tif 000003
【図２】
2007310759.tif 000004
【図３】
2007310759.tif 000005
【図４】
2007310759.tif 000006
【図５】
2007310759.tif 000007